(57)【要約】【課題】充填材を用いずにキャップ内部への水分の浸入を防ぐことができ、それにより管理項目を減らして、実用性の向上が図れる圧着端子の電線に対する接続構造を提供する。【解決手段】前部に電気接続部１１を有し、その後部に、底板部２１と、該底板部２１の両側縁から上方に延長した一対の電線加締片２２とを有する断面視略Ｕ字状に形成された電線接続部１２を有する圧着端子１０と電線Ｗの接続構造において、電線Ｗの端末部に、露出した導体Ｗａから絶縁被覆Ｗｂ部分まで被さるように内周にセレーションを設けた金属製のキャップ３０を装着し、キャップ３０を包囲するように電線加締片２２を加締めることで、セレーションに電線Ｗの導体Ｗａおよび絶縁被覆Ｗｂを食い込ませる。【選択図】図１
2011198655.tif 000002
【特許請求の範囲】
【請求項１】
前部に相手方端子に対して接続するための電気接続部を有し、その後部に、底板部と、該底板部の両側縁から上方に延長し、且つ接続すべき電線の端末部を包み込むように内側に曲げられることで前記電線の端末部を前記底板部の上面に密着した状態となるように加締める一対の電線加締片と、を有する断面視略Ｕ字状に形成された電線接続部を有する圧着端子と電線の接続構造であって、
前記電線の端末の絶縁被覆の部分を除去して露出させた導体に、内周にセレーションを設けた金属製のキャップを電線の被覆部分まで被さるように装着し、
前記キャップを包囲するように前記電線加締片を加締めることで、前記セレーションに前記電線の導体および絶縁被覆を食い込ませることを特徴とする圧着端子の電線に対する接続構造。
【請求項２】
前記キャップは、長手方向の一端が閉塞し他端が開口した筒状周壁を有し、
前記セレーションが、少なくとも前記絶縁被覆が食い込む部分において前記筒状周壁の内周に連続した環状溝として形成され、前記電線の長手方向に対して交差していることを特徴とする請求項１に記載の圧着端子の電線に対する接続構造。
【請求項３】
前記キャップが、前記端子と同種金属により形成されることを特徴とする請求項１または請求項２に記載の圧着端子の電線に対する接続構造。
【発明の詳細な説明】
【技術分野】
【０００１】
本発明は、圧着端子の電線に対する接続構造に関するものである。なお、本明細書では、アルミニウムとアルミニウム合金を略称して単に「アルミ」と記述する。従って、「アルミ」という記載は、アルミニウムと、アルミニウム合金を含むものとなる。また、本明細書では、銅と銅合金を略称して単に「銅」と記述する。従って、「銅」という記載は、銅と、銅合金を含むものとなる。
【背景技術】
【０００２】
図５は、特許文献１に記載された端子と電線の接続構造を示している。
この端子と電線の接続構造は、図５（ａ）および（ｂ）に示したように、電線Ｗの端末部に、絶縁被覆Ｗｂを除去して露出させた導体（主に多数の素線を撚り合わせた撚線よりなる）Ｗａから絶縁被覆Ｗｂの付いた部分までを覆うサイズの金属製のキャップ２３０を装着し、そのキャップ２３０を装着した電線Ｗの端末部の導体Ｗａが挿入されている部分を、端子２１０の後部に形成してある電線接続部２１２の底板部２２１の上に載せ、その状態で、図５（ｃ）に示したように、底板部２２１の両側縁に延長した一対の導体加締片２２２を導体Ｗａおよびキャップ２３０を包み込むように内側に曲げて、導体Ｗａおよびキャップ２３０が底板部２２１の上面に密着した状態となるように加締めたものである。
【０００３】
キャップ２３０は、導体Ｗａの外周に嵌まる部分２３１が小径の筒状に形成され、絶縁被覆Ｗｂの外周に嵌まる入口側の部分２３２が大径の筒状に形成されており、導体Ｗａとキャップ２３０との間には防水用の充填材が充填されている。また、端子２１０の電線接続部２１２の内周面には、キャップ２３０と端子２１０との接触導通性を増すためのセレーション２２８が設けられている。
【０００４】
ここで、キャップ２３０を用いるのは、例えば、電線Ｗの導体Ｗａがアルミ製で、端子２１０が銅製の場合、異種金属同士の接触部（圧着部）に水分が付着すると電食を起こすおそれがあるからであり、キャップ２３０の材料は端子２１０の材料と同種（銅）に設定してある。アルミ電線に対しアルミ製の端子の使用も可能であるが、銅製の端子の方が強度的に有利であるからである。このように材料を選定した場合、キャップ２３０と電線Ｗの導体Ｗａは異種金属（前者が銅、後者がアルミ）になるが、導体Ｗａとキャップ２３０の間には充填材（図示略）が充填されていて、水分がキャップ２３０の内部には浸入しないようになっており、電食の心配はない。
【先行技術文献】
【特許文献】
【０００５】
【特許文献１】特開２００４−２０７１７２号公報
【発明の概要】
【発明が解決しようとする課題】
【０００６】
ところで、上述の従来の端子と電線の接続構造では、キャップ２３０と電線Ｗの導体Ｗａとの間に充填材を充填することにより、キャップ２３０内部への水分の浸入を防いでいるが、充填材を用いているため、実際の使用時における管理項目が増え、実用的でないという問題があった。
【０００７】
本発明は、上述した事情に鑑みてなされたものであり、その目的は、充填材を用いずにキャップ内部への水分の浸入を防ぐことができ、それにより管理項目を減らして、実用性の向上が図れる圧着端子の電線に対する接続構造を提供することにある。
【課題を解決するための手段】
【０００８】
前述した目的を達成するために、本発明に係る圧着端子の電線に対する接続構造は、下記（１）〜（３）を特徴としている。
（１）  前部に相手方端子に対して接続するための電気接続部を有し、その後部に、底板部と、該底板部の両側縁から上方に延長し、且つ接続すべき電線の端末部を包み込むように内側に曲げられることで前記電線の端末部を前記底板部の上面に密着した状態となるように加締める一対の電線加締片と、を有する断面視略Ｕ字状に形成された電線接続部を有する圧着端子と電線の接続構造であって、
前記電線の端末の絶縁被覆の部分を除去して露出させた導体に、内周にセレーションを設けた金属製のキャップを電線の被覆部分まで被さるように装着し、
前記キャップを包囲するように前記電線加締片を加締めることで、前記セレーションに前記電線の導体および絶縁被覆を食い込ませること。
（２）  上記（１）の構成の圧着端子の電線に対する接続構造において、
前記キャップは、長手方向の一端が閉塞し他端が開口した筒状周壁を有し、
前記セレーションが、少なくとも前記絶縁被覆が食い込む部分において前記筒状周壁の内周に連続した環状溝として形成され、前記電線の長手方向に対して交差していること。
（３）  上記（１）または（２）の構成の圧着端子の電線に対する接続構造において、
前記キャップが、前記端子と同種金属により形成されること。
【０００９】
上記（１）の構成の圧着端子の電線に対する接続構造によれば、キャップ内周に形成したセレーションに電線の導体および絶縁被覆を食い込ませているので、電線の導体とキャップの電気的導通性能の向上を図ることができると共に、電線の絶縁被覆がセレーションに食い込むことで、電線の絶縁被覆とキャップの間の密着力や接合力が高まる。従って、その部分で水分の浸入が遮断されることになり、充填材を使用しないでも、充分な防水性能を維持できる。そのため、充填材の管理項目が不要になることで、実用性が一段と向上し、使いやすくなる。
上記（２）の構成の圧着端子の電線に対する接続構造によれば、少なくとも絶縁被覆が食い込むセレーションが、キャップの筒状周壁の内周に連続した環状溝として形成されることで、電線の長手方向に対して交差しているので、セレーションに絶縁被覆が食い込んだ部分で水分の浸入経路が遮断されることになり、より確実な防水性能の向上が図れる。
上記（３）の構成の圧着端子の電線に対する接続構造によれば、キャップと端子が同種金属で構成されているので、キャップと端子の接触部に水分が付着しても電食が起こらなくなる。
【発明の効果】
【００１０】
本発明によれば、キャップの内周に形成したセレーションに電線の絶縁被覆が食い込んでいることにより、充填材を用いずに、キャップ内部への水分の浸入を防ぐことができ、それにより充填材の管理項目を減らすことができて、実用性を高めることができる。また、セレーションに電線の導体が食い込んでいることにより、電線の導体とキャップの電気的導通性能の向上も図ることができる。
【００１１】
以上、本発明について簡潔に説明した。更に、以下に説明される発明を実施するための形態を添付の図面を参照して通読することにより、本発明の詳細は更に明確化されるであろう。
【図面の簡単な説明】
【００１２】
【図１】本発明の実施形態の説明図であって、圧着端子と電線とキャップの関係を示す完成斜視図と分解斜視図である。
【図２】（ａ）はキャップの外観斜視図、（ｂ）はキャップを半割してその内部の構造を示す断面図である。
【図３】キャップと電線の圧着後の関係を示す断面図である。
【図４】本発明の別の実施形態で使用するキャップを半割してその内部の構造を示す断面図である。
【図５】従来の端子と電線の接続構造の説明図であって、（ａ）は電線の端末にキャップを被せようとしている状態を示す斜視図、（ｂ）はキャップを被せた電線の端末を端子の電線接続部にセットしようとしている状態を示す斜視図、（ｃ）は電線接続部にセットした導体の端末に電線接続部の導体加締片を加締めて端子と導体を接続した状態を示す斜視図である。
【発明を実施するための形態】
【００１３】
以下、本発明の実施形態を図面を参照して説明する。
図１は実施形態の説明図であって、圧着端子と電線とキャップの関係を示す完成斜視図と分解斜視図、図２（ａ）はキャップの外観斜視図、（ｂ）はキャップを半割してその内部の構造を示す断面図、図３はキャップと電線の圧着後の関係を示す断面図である。
【００１４】
図１に示したように、この圧着端子１０は、メス型のもので、前部に相手方端子等(不図示)に対して接続するための、バネ片内蔵でボックス型の電気接続部１１を有し、その後部に、繋ぎ部１３を介して、電線Ｗの端末部に対して加締め接続される電線接続部１２を有している。
【００１５】
電線接続部１２は、底板部２１と、該底板部２１の両側縁から上方に延長した一対の電線加締片２２とで断面視略Ｕ字状に形成され、前側に位置する導体圧着部１４と、その後側に位置する被覆加締部１５とを備えている。本実施形態において、前側の導体圧着部１４と後側の被覆加締部１５はほぼ等しい幅で連続的に形成されている。前記電線加締片２２が接続すべき電線Ｗの端末部を包み込むように内側に曲げられることで、電線Ｗの端末部を底板部２１の上面に密着した状態となるように加締める。
【００１６】
実施形態の接続構造を得るには、図２（ａ）および（ｂ）に示したような金属製のキャップ３０を用いる。このキャップ３０は、圧着端子１０と同種金属（例えば、銅）により形成されると共に、長手方向の一端３１が閉塞し他端３２が開口した筒状周壁３４を有しており、筒状周壁３４の内周にセレーション（エッジを有した凹溝）３８を有している。キャップ３０は、電線Ｗの端末部の導体Ｗａの先端から絶縁被覆（以下、単に被覆ということがある。）Ｗｂの付いた部分までを覆うことのできる長さを有しており、セレーション３８は、筒状周壁３４の内周に、キャップ３０の入口３３の付近から奥に向かって適当な間隔をおいて、それぞれ連続した環状溝として複数本形成されている。従って、各セレーション３８は、電線Ｗの長手方向に対して交差している。
【００１７】
図３に示したように、電線Ｗの端末部に、絶縁被覆Ｗｂを除去して適当な長さの導体Ｗａを露出させたら、その端末部に導体Ｗａから被覆Ｗｂの付いた部分まで被さるように金属製のキャップ３０を装着する。そして、このキャップ３０を包囲するように電線加締片２２を加締めることで、キャップ３０及び電線Ｗの端末部を潰し変形させて、電線Ｗと圧着端子１０とを接続する。その際、潰れるキャップ３０の内周のセレーション３８に、電線の導体Ｗａおよび被覆Ｗｂを食い込ませることで、実施形態の接続構造を得る（図１参照）。
【００１８】
このように構成した圧着端子１０の電線Ｗに対する接続構造によれば、キャップ３０の内周に形成したセレーション３８に電線Ｗの導体Ｗａおよび被覆Ｗｂを食い込ませているので、電線Ｗの導体Ｗａとキャップ３０の電気的導通性能の向上を図ることができると共に、電線Ｗの被覆Ｗｂがセレーション３８に食い込むことで、電線Ｗの被覆Ｗｂとキャップの間の密着力や接合力が高まる。従って、その部分で水分の浸入が遮断されることになり、充填材を使用しないでも、充分な防水性能を維持できる。そのため、充填材の管理項目が不要になることで、実用性が一段と向上し、使いやすくなる。
【００１９】
しかも、キャップ３０と圧着端子１０が同種金属で構成（つまり、例えば銅または銅合金で構成）されているので、キャップ３０と圧着端子１０の接触部に水分が付着しても電食が起こらなくなる。また、少なくとも被覆Ｗｂが食い込むセレーション３８が、キャップ３０の筒状周壁３４の内周に連続した環状溝として形成されることで、電線Ｗの長手方向に対して交差しているので、セレーション３８に被覆Ｗｂが食い込んだ部分で水分の浸入経路が遮断されることになり、より確実な防水性能の向上が図れる。
【００２０】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２１】
例えば、図４に示す別の実施形態で使用するキャップ３０Ｂのように、筒状周壁３４の内周に形成したセレーション３９が、電線の長手方向に沿って延びるようになっていてもよい。
【００２２】
また、本発明は、使用する電線の種類は問わないが、圧着端子が銅製、キャップが銅製の場合、電線がアルミ電線の場合に特に有用性を発揮することができる。
【符号の説明】
【００２３】
Ｗ    電線
Ｗａ  導体
Ｗｂ  絶縁被覆
１０  圧着端子
１１  電気接続部
１２  電線接続部
１４  導体圧着部
１５  被覆加締部
２１  底板部
２２  電線加締片
３０  キャップ
３１  一端
３２  他端
３４  筒状周壁
３８  セレーション（環状溝）
３９  セレーション
【図１】
2011198655.tif 000003
【図２】
2011198655.tif 000004
【図３】
2011198655.tif 000005
【図４】
2011198655.tif 000006
【図５】
2011198655.tif 000007